(57)【要約】【課題】マスク着用者の鼻とその近傍に対して密着性のよい防じんマスクの提供。【解決手段】防じんマスク１がマスク着用者の口許の前方に向かってふくらんでカップ状を呈しているフィルタ部６を有する。フィルタ部６の内側には、弾性変形可能な材料からなる環状部材２１が取り付けられる。環状部材２１には、防じんマスク１の縦中心線Ｃ−Ｃに関して対称に、かつ環状部材２１の内周縁２３からフィルタ部６の頂縁部分１１に向かって延びる一対の第１切り欠き部２８が形成される。【選択図】図２
2005160499.tif 000002
【特許請求の範囲】
【請求項１】
防じんマスク着用者の口許と鼻孔とを覆う通気性のフィルタ部と、前記防じんマスク着用者の頭部および耳部のいずれかに掛け回して前記フィルタ部を前記防じんマスク着用者の顔面に密着させることが可能なストラップとを有し、前記フィルタ部が、前記鼻孔よりも上方に位置させる頂縁部分と、前記口許よりも下方に位置させる底縁部分と、これら頂縁部分と底縁部分とをつなぐ両側縁部分とを有しており、前記口許の前方に向かってふくらんでカップ状を呈している防じんマスクであって、
前記フィルタ部の内側には、弾性変形可能なシート材料からなり、外周縁と内周縁とを有する環を形成し、前記内周縁が前記口許の進入を可能にする透孔を画成している環状部材が前記外周縁を前記フィルタ部の前記頂縁部分と前記底縁部分とに接合されることにより取り付けられており、前記環状部材において前記頂縁部分に並行して前記防じんマスクの幅方向へ延びる部分には、前記防じんマスクの幅を二等分する縦中心線に関して対称に、かつ前記内周縁から前記頂縁部分に向かって延びる一対の第１切り欠き部が形成されていることを特徴とする前記防じんマスク。
【請求項２】
前記環状部材には、前記内周縁から前記頂縁部分に向かって延びる第２切り欠き部が前記縦中心線上に形成されている請求項１記載の防じんマスク。
【請求項３】
前記環状部材は、前記第１切り欠き部のそれぞれと前記第２切り欠き部との間の部位が、前記頂縁部分に向かって前記マスク着用者の顔面の側へ折り返されて、その折り返された部位の一部分が前記一部分と向かい合う前記環状部材に接合されている請求項２記載の防じんマスク。
【請求項４】
前記フィルタ部の前記側縁部分のそれぞれは、前記フィルタ部の外面どうしが向かい合うように前記防じんマスクの幅方向へ折り返され、向かい合う前記外面の一部分が互いに接合することにより、前記フィルタ部の上下方向へ延びて前記ストラップを挿通可能な管状部を形成している請求項１〜３のいずれかに記載の防じんマスク。
【発明の詳細な説明】
【技術分野】
【０００１】
この発明は防じんマスク、より詳しくは使い捨ての防じんマスクとして使用するのに好適な防じんマスクに関する。
【背景技術】
【０００２】
実開昭５５−１４８７５９号公報（特許文献１）に開示された簡易防塵マスクは、使い捨てのもので、マスクの頂縁部分中央にＶ字形の切り欠き部を有し、その切り欠き部の両側には頂縁部分をマスク着用者の顔面へ当接容易にするための折曲案内線を有する。
【０００３】
実開昭６２−１３０６５５号公報（特許文献２）に開示されたマスクもまた使い捨てのもので、マスク本体の頂縁部分にマスク着用者の鼻の近傍とマスク本体との間をふさぐためのスポンジ部材を有する。
【０００４】
また、カップ状に形成された防じんマスクの幅方向中央部の外面にアルミニウム等からなる可撓性の帯片を取り付け、この帯片をマスク着用者の鼻に押し当ててＶ字形に変形させ、その帯片によって着用したマスクを鼻とその近傍にフィットさせることは周知である
【特許文献１】実開昭５５−１４８７５９号公報
【特許文献２】実開昭６２−１３０６５５号公報
【発明の開示】
【発明が解決しようとする課題】
【０００５】
特許文献１に開示の簡易防塵マスクでは、頂縁部分が鼻とその近傍への密着を可能にするためのＶ字形の切り欠き部を有しているが、かかる頂縁部分を鼻とその近傍に密着させるには、頂縁部分の形状が適切なものでなければならないと同時に、密着させるための力をその頂縁部分に効果的に作用させなければならない。しかし、文献１に開示のマスクは、その力を作用させるための手段を備えていない。
【０００６】
特許文献２に開示のマスクでもまた、スポンジ部材を鼻とその近傍に密着させるには、密着させるための力を効果的にスポンジ部材に作用させなければならない。しかし、文献２に開示のマスクも、その力を作用させるための手段を備えていない。
【０００７】
また、アルミニウム等の帯片を変形させることによってマスクの頂縁部分をマスク着用者の鼻に密着させる周知の防じんマスクでは、帯片を過度に変形させてしまうと、鼻に対して強い刺激を与える場合がある。
【０００８】
この発明では、前記従来技術に見られるような使い捨て防じんマスクを一例とする簡易な構造の防じんマスクに対して、防じんマスク着用者の鼻とその近傍への密着性が向上するように改良を施すことが課題である。
【課題を解決するための手段および発明の効果】
【０００９】
前記課題解決のために、この発明が対象とするのは、防じんマスク着用者の口許と鼻孔とを覆う通気性のフィルタ部と、前記防じんマスク着用者の頭部および耳部のいずれかに掛け回して前記フィルタ部を前記防じんマスク着用者の顔面に密着させることが可能なストラップとを有し、前記フィルタ部が前記鼻孔よりも上方に位置させる頂縁部分と、前記口許よりも下方に位置させる底縁部分と、これら頂縁部分と底縁部分とをつなぐ両側縁部分とを有しており、前記口許の前方に向かってふくらんでカップ状を呈している防じんマスクである。
【００１０】
かかる防じんマスクにおいて、この発明が特徴とするところは、次のとおりである。前記フィルタ部の内側には、弾性変形可能なシート材料からなり、外周縁と内周縁とを有する環を形成し、前記内周縁が前記口許の進入を可能にする透孔を画成している環状部材が前記外周縁を前記フィルタ部の頂縁部分と底縁部分とに接合されることにより取り付けられており、前記環状部材において前記頂縁部分に並行して前記防じんマスクの幅方向へ延びる部分には、前記防じんマスクの幅を二等分する縦中心線に関して対称に、かつ前記内周縁から前記頂縁部分に向かって延びる一対の第１切り欠き部が形成されている。
【００１１】
かように構成される防じんマスクでは、弾性変形可能なシート材料からなる環状部材のうちで、第１切り欠き部と第１切り欠き部との間に位置する部位を防じんマスク着用者の顔面の側へ折り返すことができる。環状部材をこのように折り返した状態で防じんマスクを着用すると、折り返した部位が弾性的に元の状態に復帰しようとして鼻とその近傍に弾性的に密着して、防じんマスクの顔面に対する密着性を向上させることができる。
【００１２】
この発明の実施態様の一つにおいて、前記環状部材には、前記内周縁から前記頂縁部分に向かって延びる第２切り欠き部が前記縦中心線上にも形成されている。
【００１３】
かような態様の防じんマスクでは、環状部材の折り返した部位が鼻とその近傍に特に密着し易くなる。
【００１４】
この発明の実施態様の他の一つにおいて、前記環状部材は、前記第１切り欠き部のそれぞれと前記第２切り欠き部との間の部位が、前記頂縁部分に向かって前記マスク着用者の顔面の側へ折り返されて、その折り返された部位の一部分が前記一部分と向かい合う前記環状部材に接合されている。
【００１５】
かような態様の防じんマスクでは、環状部材における第１切り欠き部と第２切り欠き部との間の部位が予め折り返されているから、防じんマスクを着用するときに、その部位を折り返す手間を省くことができる。
【００１６】
この発明の実施態様の他の一つにおいて、前記フィルタ部の前記側縁部分のそれぞれは、前記フィルタ部の外面どうしが向かい合うように前記防じんマスクの幅方向へ折り返され、向かい合う前記外面の一部分が互いに接合することにより、前記フィルタ部の上下方向へ延びて前記ストラップを挿通可能な管状部を形成している。かような態様の防じんマスクでは、ストラップを取り付けるために特別な部材を使う必要がない。
【発明を実施するための最良の形態】
【００１７】
添付の図面を参照し、この発明に係る防じんマスクの詳細を説明すると、以下のとおりである。
【００１８】
図１は、使用状態にある防じんマスク１の斜視図である。防じんマスク１は、防じんマスク着用者２の口許３と鼻孔４（図３参照）とを覆うことが可能なフィルタ部６と、着用者の頭部７または耳に掛け回されて、フィルタ部６を着用者２の顔面に密着させることが可能な環状のストラップ８とを有する。フィルタ部６は、着用者２の口許３の前方に向かってふくらむカップ状を呈し、図の上方において弧を画く頂縁部分１１と、図の下方において弧を画く底縁部分１２と、図の左右においてこれら頂縁部分１１と底縁部分１２とをつなぐ一対の側縁部分１３とを有する。フィルタ部６の幅を二等分する中心線Ｃ−Ｃ上には、タックをとるための線１０が現れており、側縁部分１３には、ストラップ８を挿通するための管状部１４が形成されている。
【００１９】
図２は、防じんマスク１の内側を部分的に破断して示す図である。防じんマスク１は、フィルタ部６の内面側に弾性変形可能なシート材料からなる環状部材２１を有する。環状部材２１は、外周縁２２と内周縁２３とを有し、内周縁２３は、その内側に透孔２４を画成している。外周縁２２とその近傍は、フィルタ部６の頂縁部分１１と底縁部分１２とに接着または溶着により接合している。環状部材２１のうちで、これら頂縁部分１１と底縁部分１２との間にあって、図においてほぼ垂直に延びる側方部分２６は、フィルタ部６に対して非接合の状態にある。環状部材２１において、フィルタ部６の頂縁部分１１と並行して防塵マスクの幅方向へ延びる部分２７は、防じんマスク１の幅を二等分する縦の中心線Ｃ−Ｃに関して対称な一対の第１切り欠き部２８と、中心線Ｃ−Ｃ上に位置する一条の第２切り欠き部２９とが形成されている。第１、第２切り欠き部２８，２９は下向きのＶ字形ないしＵ字形を画くように、内周縁２３からフィルタ部６の頂縁部分１１に向かって延びている。かような環状部材２１には、第１切り欠き部２８のそれぞれと第２切り欠き部２９との間にフラップ３１が形成されている。弾性的に変形可能なシート材料で形成されている環状部材２１では、フラップ３１のそれぞれが図示の仮想線３５に沿って、矢印Ｐ，Ｑで示される図の上方へ弾性的に折曲可能であり、折曲された状態のフラップ３１が仮想線３０によって示されている。環状部材２１の側方部分２６もまた弾性変形可能であって、その変形の一例が仮想線３３，３４によって示されている。
【００２０】
図３は、図１のＩＩＩ−ＩＩＩ線切断面を示す図である。防じんマスク１を着用するときには、環状部材２１のフラップ３１のそれぞれを図２の矢印Ｐ，Ｑ方向へ折曲して、フラップ３１をそれ自身の弾性的復元力によって着用者２の鼻４とその近傍に図の上方から圧接させる。また、フィルタ部６の底縁部分１２では、環状部材２１を着用者２の顎部に顔の前方から圧接させる。着用者２の口許３は、環状部材２１における透孔２４の内側にある。図に断面で示されているフィルタ部６は、外面を形成する通気性の保護シート４１と、内面を形成する通気性の保形シート４２と、これら両シート４１，４２の間に介在するシート状の濾材４３とを有する。フィルタ部６の頂縁部分１１と、底縁部分１２と、側縁部分１３とにおいて、保護シート４１と保形シート４２とは、濾材４３の縁部から延出して重なり合い、接着または溶着によって互いに接合している。
【００２１】
図４は、防じんマスク１の図３とは異なる着用状態を示す図である。この着用状態の防じんマスク１では、底縁部１２の近傍における環状部材２１を折曲して、着用者２の顎部に下方から圧接させてある。防じんマスク１は、図３のような状態でも図４のような状態でも着用することができる。
【００２２】
図５は、図２のＶ−Ｖ線切断面を示す図である。フィルタ部６における側縁部分１３では、重なり合う保護シート４１と保形シート４２とが保護シート４１を内側にして、フィルタ部６の幅方向に折り返され、折り返された部分の一部４６がそれと向かい合う保護シート４１に接着、溶着、縫合等の手段によって接合している。かくして、フィルタ部６の側縁部分１３には、ストラップ８を挿通可能であって、図１の上下方向へ延びる管状部１４が形成される。
【００２３】
このように構成された防じんマスク１では、ストラップ８に好ましくはゴム製のものを使用し、ストラップ８の長さを調整することによって、フィルタ部６の頂縁部分１１、底縁部分１２、側縁部分１３を着用者２の顔面に密着させる。ただし、頂縁部分１１においては、フラップ３１を上方へ折曲しておく（図１，２参照）。顔面のうちで、ストラップ８の作用ではフィルタ部６を密着させにくい鼻４とその近傍や顎部の近傍には弾性変形させた環状部材２１とその一部分である折曲したフラップ３１をそれ自身の復元力によって密着させる。ストラップ８の作用と環状部材２１の作用とをこのように併用する防じんマスク１は、鼻４とその近傍に対してもよく密着する。環状部材２１には顔面に対して程よい圧接力で密着可能な弾性シート材料を選択しておき、ストラップ８にも適度な締め付け力を有するゴム紐を選択しておくことによって、防じんマスク１は着用し易いものになり、着用者２にとって防じんマスク１に対する調整作業が不要になる。
【００２４】
かかる防じんマスク１において、フィルタ部６における濾過機構に格別の規定はない。図示例のフィルタ部６であれば、保護シート４１はその内側に位置する濾材４３の外面にものが触れることを防ぐために使用され、その保護シート４１には通気性の織布や不織布、熱可塑性プラスチックからなり適宜の通気性開孔を有する成形品等を使用することができる。保形シート４２は、それ自身がカップ形状を成すもので、その形状を維持するのに十分な剛性を有し、この保形シート４２によって防じんマスク１のカップ形状が保たれている。かかる保形シート４２には、通気性の不織布や多数の通気性開孔を有する熱可塑性プラスチック成形品等を使用することができる。保護シート４１と保形シート４２とが熱可塑性プラスチックを含むものであれば、これら両シート４１，４２は超音波や加熱下のエンボスによって溶着することが可能である。濾材４３には、当該技術分野において慣用のものを使用することができる。環状部材２１には、弾性変形可能な天然ゴムまたは合成ゴムシート、発泡ポリウレタンシート、発泡ポリエチレンシート、弾性変形可能な不織布等を使用することができる。図示例において、環状部材２１の側方部分２６はフィルタ部６に対して非接合の状態にあるが、この側方部分２６をフィルタ部６に対して接合してこの発明を実施することも可能である。
【００２５】
図６は、この発明の実施態様の一例を示す図２と同様な図である。図示例の防じんマスク１における環状部材２１には、中心線Ｃ−Ｃに関して対称をなす一対の第１切り欠き部２８のみが形成されている。この発明は、このような態様で実施することも可能である。
【００２６】
図７，８は、この発明の実施態様の他の一例を示す図２と同様な図と、その図のＶＩＩＩ−ＶＩＩＩ線矢視図である。この防じんマスク１の環状部材２１は、第１切り欠き部２８と、第２切り欠き部２９とを有し、第２切り欠き部２９の両側に形成されたフラップ３１のそれぞれが、図２に示された矢印Ｐ、Ｑ方向へ折曲されている。折曲されたフラップ３１は、その一部分、例えば第１切り欠き部２８の近傍の部分４７がそれと向かい合う環状部材２１に対して接着また溶着により接合されている。フラップ３１における第２切り欠き部２９の近傍の部分４８は、それと向かい合う環状部材２１に接合されておらず、折曲される前の状態に復帰しようとする。かようなフラップ３１は、図８で明らかなように、部分４７がフィルタ部６の頂縁部分１１の近傍で環状部材２１に接合される一方、部分４８が着用者２の鼻に接近するように頂縁部分１１から離間している。このような態様の防じんマスク１は、それを着用するときに図１の防じんマスク１の如くフラップ３１を上方へ折曲する必要がないので、着用のための手間を省くことができる。
【産業上の利用可能性】
【００２７】
この発明によれば、鼻とその近傍に対して密着させることが容易な防じんマスクの製造が可能になる。
【図面の簡単な説明】
【００２８】
【図１】使用状態にある防じんマスクの斜視図。
【図２】防じんマスクの内側を示す部分破断図。
【図３】図１のＩＩＩ−ＩＩＩ線切断面を示す図。
【図４】防じんマスクの着用状態を示す図３と同様な図。
【図５】図２のＶ−Ｖ線切断面を示す図。
【図６】実施態様の一例を示す図２と同様な図。
【図７】実施態様の他の一例を示す図２と同様な図。
【図８】図７のＶＩＩＩ−ＶＩＩＩ線断面図。
【符号の説明】
【００２９】
１    防じんマスク
６    フィルタ部
８    ストラップ
１１    頂縁部分
１２    底縁部分
１３    側縁部分
１４    管状部
２１    環状部材
２２    外周縁
２３    内周縁
２４    透孔
２７    幅方向へ延びる部分
２８    第１切り欠き部
２９    第２切り欠き部
Ｃ−Ｃ    縦中心線
【図１】
2005160499.tif 000003
【図２】
2005160499.tif 000004
【図３】
2005160499.tif 000005
【図４】
2005160499.tif 000006
【図５】
2005160499.tif 000007
【図６】
2005160499.tif 000008
【図７】
2005160499.tif 000009
【図８】
2005160499.tif 000010